(57)【特許請求の範囲】
【請求項１】
コンテンツを表示する表示手段と、
前記表示手段に対面するユーザを識別するユーザ識別手段と、
前記コンテンツの内容に対応するタグと、該タグに対するユーザの嗜好であるタグ嗜好と、を関連づけて記憶手段に記憶させるタグ嗜好記憶手段と、
前記コンテンツと、該コンテンツに対するユーザの嗜好であるコンテンツ嗜好と、を関連づけて前記記憶手段に記憶させるコンテンツ嗜好記憶手段と、
指定された前記コンテンツの内容に対応する前記タグを前記タグ嗜好とともに表示し、かつ、該コンテンツに対する前記コンテンツ嗜好を前記表示手段に表示するコンテンツ情報表示手段と、
表示された前記タグ嗜好への変更要求を受け付けて、前記記憶手段に前記コンテンツに対応するタグに関連づけられて記憶されている前記タグ嗜好を更新するタグ嗜好更新手段と、
表示された前記コンテンツに対する前記コンテンツ嗜好への変更要求を受け付けて、前記記憶手段に前記コンテンツに関連づけられて記憶されている前記コンテンツ嗜好を更新するコンテンツ嗜好更新手段と、
を備えたことを特徴とする情報処理装置。
【請求項２】
前記ユーザ識別手段で識別されたユーザに対し、前記タグ嗜好と前記コンテンツ嗜好とに基づいて選択された行動を推薦する、請求項１記載の情報処理装置。
【請求項３】
前記コンテンツ嗜好は、該コンテンツに関連して該ユーザが希望する行動を示すことを特徴とする、請求項１または２記載の情報処理装置。
【請求項４】
前記ユーザ識別手段で識別されたユーザに対し、前記コンテンツ嗜好として共通の行動が関連づけられた前記コンテンツに対応する前記タグ嗜好のうち該ユーザが嗜好を有するものと関連づけられたタグについて該行動をとるよう該ユーザに推薦する、請求項３記載の情報処理装置。
【請求項５】
前記タグは、前記コンテンツに付随して提供される付随情報に基づいて生成されることを特徴とする請求項１ないし４記載の情報処理装置。
【請求項６】
コンテンツを表示する表示ステップと、
表示手段に対面するユーザを識別するユーザ識別ステップと、
前記コンテンツの内容に対応するタグと、該タグに対するユーザの嗜好であるタグ嗜好と、を関連づけて記憶手段に記憶させるタグ嗜好記憶ステップと、
前記コンテンツと、該コンテンツに対するユーザの嗜好であるコンテンツ嗜好と、を関連づけて前記記憶手段に記憶させるコンテンツ嗜好記憶ステップと、
指定された前記コンテンツの内容に対応する前記タグを前記タグ嗜好とともに表示し、かつ、該コンテンツに対する前記コンテンツ嗜好を前記表示手段に表示するコンテンツ情報表示ステップと、
表示された前記タグ嗜好への変更要求を受け付けて、前記記憶手段に前記コンテンツに対応するタグに関連づけられて記憶されている前記タグ嗜好を更新するタグ嗜好更新ステップと、
表示された前記コンテンツに対する前記コンテンツ嗜好への変更要求を受け付けて、前記記憶手段に前記コンテンツに関連づけられて記憶されている前記コンテンツ嗜好を更新するコンテンツ嗜好更新ステップと、
を備えたことを特徴とする情報処理方法。
【請求項７】
表示手段、ユーザ識別手段、タグ嗜好記憶手段、コンテンツ嗜好記憶手段、コンテンツ情報表示手段、タグ嗜好更新手段、及びコンテンツ嗜好更新手段を備えた情報処理装置のコンピュータが読み取り可能なプログラムであって、
前記コンピュータに、
前記表示手段が、コンテンツを表示する手順、
前記表示手段が、前記表示手段に対面するユーザを識別する手順、
前記タグ嗜好記憶手段が、前記コンテンツの内容に対応するタグと、該タグに対するユーザの嗜好であるタグ嗜好と、を関連づけて記憶手段に記憶させる手順、
前記コンテンツ嗜好記憶手段が、前記コンテンツと、該コンテンツに対するユーザの嗜好であるコンテンツ嗜好と、を関連づけて前記記憶手段に記憶させる手順、
前記コンテンツ情報表示手段が、指定された前記コンテンツの内容に対応する前記タグを前記タグ嗜好とともに表示し、かつ、該コンテンツに対する前記コンテンツ嗜好を前記表示手段に表示する手順、
前記タグ嗜好更新手段が、表示された前記タグ嗜好への変更要求を受け付けて、前記記憶手段に前記コンテンツに対応するタグに関連づけられて記憶されている前記タグ嗜好を更新する手順、
前記コンテンツ嗜好更新手段が、示された前記コンテンツに対する前記コンテンツ嗜好への変更要求を受け付けて、前記記憶手段に前記コンテンツに関連づけられて記憶されている前記コンテンツ嗜好を更新する手順、
を実行させるためのプログラム。
【発明の詳細な説明】
【技術分野】
【０００１】
本発明は、情報処理装置、情報処理方法、及びプログラムに関する。
【背景技術】
【０００２】
情報処理装置を用いて放送番組を録画し、サムネイルに一覧表示することが行われている（例えば、特許文献１参照。）。
特許文献１に記載の発明は、「情報処理装置、その方法、そのプログラム、およびそのプログラムを記録した記録媒体、および表示制御装置」に関するものであり、具体的には、複数の画像情報が一連のデータ列構造として構成された映像情報を取得する映像情報取得手段と、映像情報を特定する特定情報を取得する特定情報取得手段と、画像情報の一部に特定情報が含まれているか否かを判断する判断手段と、判断手段にて画像情報に特定情報が含まれていると判断されると、特定情報が含まれる画像情報を取得する画像情報取得手段と、取得した画像情報を映像情報に関連付けられた代表画像として取得する代表画像取得手段と、を具備したものである。
【先行技術文献】
【特許文献】
【０００３】
【特許文献１】特開２００６−１４０６０３号公報
【発明の概要】
【発明が解決しようとする課題】
【０００４】
ところで、特許文献１に記載の発明は、ユーザの興味のある番組等を録画した内容からＣＭを削除した本編の一画面を一覧表示するものである。
しかしながら、ユーザがサムネイルの中から見たい番組を探す場合には、予めユーザ自身がファイルに分類しておかなければならず、サムネイルの数は日ごとに増加し、分類作業やファイルの中から探さなければならず不便であった。
【０００５】
そこで、本発明の目的は、ユーザが過去に興味を持った情報を簡単に確認できる情報処理装置、情報処理方法、及びプログラムを提供することにある。
【課題を解決するための手段】
【０００６】
上記課題を解決するため、請求項１記載の発明は、コンテンツを表示する表示手段と、前記表示手段に対面するユーザを識別するユーザ識別手段と、前記コンテンツの内容に対応するタグと、該タグに対するユーザの嗜好であるタグ嗜好と、を関連づけて記憶手段に記憶させるタグ嗜好記憶手段と、前記コンテンツと、該コンテンツに対するユーザの嗜好であるコンテンツ嗜好と、を関連づけて前記記憶手段に記憶させるコンテンツ嗜好記憶手段と、指定された前記コンテンツの内容に対応する前記タグを前記タグ嗜好とともに表示し、かつ、該コンテンツに対する前記コンテンツ嗜好を前記表示手段に表示するコンテンツ情報表示手段と、表示された前記タグ嗜好への変更要求を受け付けて、前記記憶手段に前記コンテンツに対応するタグに関連づけられて記憶されている前記タグ嗜好を更新するタグ嗜好更新手段と、表示された前記コンテンツに対する前記コンテンツ嗜好への変更要求を受け付けて、前記記憶手段に前記コンテンツに関連づけられて記憶されている前記コンテンツ嗜好を更新するコンテンツ嗜好更新手段と、を備えたことを特徴とする。
【発明の効果】
【０００７】
本発明によれば、ユーザが過去に興味を持った情報を簡単に確認できる情報処理装置、情報処理方法、及びプログラムの提供を実現できる。
【図面の簡単な説明】
【０００８】
【図１】本発明の一実施形態に係るハードウエア構成を示すブロック図である。
【図２】図１に示した情報処理装置１００に表示される画面及びリモコンとしてのスマートホン４１の一例である。
【図３】図１に示した情報処理装置１００のユーザがサイドメニュー１０２ａから要求したときに情報をメイン画面１０１に一覧表示するパーソナルビューアの構成図である。
【図４】（ａ）、（ｂ）、（ｃ）は、図２に示した情報処理装置１００のサイドメニュー１０２ｃを選択してパーソナルチャンネルの中のコンテンツを視聴中にタグを貼る場合の説明図である。
【図５】図１に示した情報処理装置１００の動作を説明するためのフローチャートの一例である。
【図６】図１に示した情報処理装置１００の動作を説明するためのフローチャートの他の一例である。
【図７】図１に示した情報処理装置１００におけるパーソナルビューアの概念図である。
【図８】（ａ）〜（ｆ）は、マイカタログの一例をパーソナルビューアで覗いた場合の説明図である。
【図９】ライフログの一例をパーソナルビューアで覗いた場合の説明図である。
【図１０】プロファイルの一例をパーソナルビューアで覗いた場合の説明図である。
【発明を実施するための形態】
【０００９】
本発明の実施の形態について説明する。
本情報処理装置は、ユーザが過去に興味を持った情報を簡単に確認できるようにしたものである。
＜構  成＞
〔ハードウエア〕
図１は、本発明の一実施形態に係るハードウエア構成を示すブロック図である。
同図に示す情報処理装置１００（例えば、テレビジョン受像器）は、受信部（チューナ）１１、ストリーム分離部（ＤＥＭＵＸ：demultiplexer：デマルチプレクサ）１２、映像デコード部１３、表示処理部（スケーラ）１４、表示手段としての表示部（モニタ）１５、パーソナルＤＢ（database）１６、サービス１７、ＧＰＳ（Global Positioning System：汎地球測位システム）１８、受信制御部１９、センサ２０、リモコン受信部２１、入力手段２２、カメラ２３、及びネットワーク接続部２４を有する。
【００１０】
受信部１１は、地上デジタル放送、ＢＳ（broadcasting satellite：放送衛星）放送、もしくはＣＳ（communication satellite：通信衛星）放送を受信し、受信したストリームをストリーム分離部１２に入力するチューナとして機能する回路である。受信部１１は、受信制御部１９の制御により受信するチャンネルを変更する機能を有する。
ストリーム分離部１２は、映像、音声、データ等の多重化されたストリームを分離するＤＥＭＵＸ処理を行う。ストリーム分離部１２は、分離されたストリームのうち映像に関するストリームを映像デコード部１３に入力する。その他のストリームについては本発明とは直接関係がないので説明を割愛する。
映像デコード部１３は、入力された映像に関するストリームをデコードして映像データとして後段の処理ブロックに入力する。ストリームについては限定しないが、例えば、ＭＰＥＧ(Moving Picture Experts Group)、Ｈ．２６４等の規格のものが挙げられる。
表示処理部１４は、表示部１５にストリーム画像やサイドメニューの表示可能な範囲や大きさを制御する。
表示部１５は、コンテンツを表示する手段であり、例えば、ＨＤＴＶ（high-definition television：高品位テレビ）を表示することのできるモニタであり、例えば液晶表示装置が挙げられる。
【００１１】
受信制御部１９は、受信部１１、表示処理部１４、パーソナルＤＢ１６、サービス１７、ＧＰＳ１８、センサ２０、リモコン受信部２１、入力手段２２、及びカメラ２３からのデータに基づいて各種処理を行う機能を有する回路であり、例えばマイクロプロセッサが挙げられる。受信制御部１９は、抽出手段１９ａ、絞り込み手段１９ｂ、収集手段１９ｃ、画像処理手段１９ｄ、検索手段１９ｅ、分析手段１９ｆ、ユーザ識別手段１９ｇ、タグ嗜好記憶手段１９ｈ、コンテンツ嗜好記憶手段１９ｉ、コンテンツ情報表示手段１９ｊ、タグ嗜好更新手段１９ｋ、及びコンテンツ嗜好更新手段１９ｌを有する。
受信制御部１９は、入力手段２２もしくは図には示されないリモコンから入力された電源オンオフ、番組切り替えの指示、音量調節等の指示に基づき電源オンオフ、チャンネル切り替え等の制御をする機能を有する。
【００１２】
抽出手段１９ａは、パーソナルＤＢ１６に蓄積したデータからキーワードを抽出する機能を有する。
絞り込み手段１９ｂは、キーワードを頻度でランキングすることで興味情報を絞り込む機能を有する。
収集手段１９ｃは、絞り込んだ興味情報に関連するコンテンツを収集する機能を有する。
画像処理手段１９ｄは、ユーザの過去のライフログをビジュアル表示、検索するための第一のサイドメニュー、ショッピングサイトと連携し、ユーザの嗜好に応じた商品をネットショッピングするための第二のサイドメニュー、及びユーザの嗜好に応じて収集したコンテンツ毎にまとめたチャンネル用の第三のサイドメニューを、コンテンツを表示するメイン画面と共に表示部１５に表示させる機能を有する。
これらのサイドメニューの選択は、ユーザによるリモコンの操作で行われる。
検索手段１９ｅは、ユーザの興味情報に基づいてネットワーク接続部２４により接続されたネットワークのサイトからユーザの興味情報に関連するデータを検索する機能を有する。
分析手段１９ｆは、抽出したキーワードのジャンル、頻度等を分析する機能を有する。
ユーザ識別手段１９ｇは、表示部１５に対面するユーザを識別する機能を有する。
タグ嗜好記憶手段１９ｈは、コンテンツの内容に対応するタグと、タグに対するユーザの嗜好であるタグ嗜好と、を関連づけて記憶手段としてのパーソナルＤＢ１６に記憶させる機能を有する。
コンテンツ嗜好記憶手段１９ｉは、コンテンツと、コンテンツに対するユーザの嗜好であるコンテンツ嗜好と、を関連づけてパーソナルＤＢ１６に記憶させる機能を有する。
コンテンツ情報表示手段１９ｊは、指定されたコンテンツの内容に対応するタグをタグ嗜好とともに表示し、かつ、コンテンツに対するコンテンツ嗜好を表示部１６に表示する機能を有する。
タグ嗜好更新手段１９ｋは、モニタ１５に表示されたタグ嗜好への変更要求を受け付けて、パーソナルＤＢ１６にコンテンツに対応するタグに関連づけられて記憶されているタグ嗜好を更新する機能を有する。
コンテンツ嗜好更新手段１９ｌは、モニタ１５に表示されたコンテンツに対するコンテンツ嗜好への変更要求を受け付けて、記憶手段にコンテンツに関連づけられて記憶されているコンテンツ嗜好を更新する機能を有する。
これら抽出手段１９ａ、絞り込み手段１９ｂ、収集手段１９ｃ、画像処理手段１９ｄ、検索手段１９ｅ、分析手段１９ｆ、ユーザ識別手段１９ｇ、タグ嗜好記憶手段１９ｈ、コンテンツ嗜好記憶手段１９ｉ、コンテンツ情報表示手段１９ｊ、タグ嗜好更新手段１９ｋ、及びコンテンツ嗜好更新手段１９ｌは、ソフトウエアで構成される。
受信制御部１９は、ユーザ識別手段１９ｇで識別されたユーザに対し、タグ嗜好とコンテンツ嗜好とに基づいて選択された行動を推薦する機能を有してもよい。これは、タグ嗜好やコンテンツ嗜好の用途を規定し、嗜好情報の編集により推薦内容を柔軟に変更するものである。
コンテンツ嗜好は、コンテンツに関連してユーザが希望する行動を示すものであり、具体的には「見たい」、「食べたい」、「行きたい」、及び「欲しい」等の欲求である。
受信制御部１９は、ユーザ識別手段１９ｇで識別されたユーザに対し、コンテンツ嗜好として共通の行動が関連づけられたコンテンツに対応するタグ嗜好のうちユーザが嗜好を有するものと関連づけられたタグについて行動をとるようユーザに推薦する機能を有してもよい。これは、具体的には、「行きたい」評価したコンテンツで共通して「イタリア」タグがチェックされているときに「イタリア旅行」を推薦する、「見たい」評価したコンテンツで共通して「○井理」タグがチェックされているときに○井理の出演番組の録画・視聴を推薦する、等があげられる。
タグは、コンテンツに付随して提供される付随情報に基づいて生成されるように構成してもよい。これは、タグがEPG情報などから抽出されることを規定している。
【００１３】
受信制御部１９にて行われるコンテンツの分類は、取得したコンテンツデータの一部を表示するサムネイルを生成し、興味情報の各々に付与された属性毎にまとめ、同一属性を有する情報に対する処理の基礎となった指示の履歴に基づいて、ユーザにとって優先度が高いか否かで判断する。
また、優先度が高いとは、ユーザの視聴する番組のジャンル、出演者、もしくは団体毎に視聴回数、及び視聴時間を測定し、視聴回数、及び視聴時間の多い番組を興味度が高いとする。
【００１４】
蓄積手段としてのパーソナルＤＢ１６は、ユーザ毎にファイルに分けて興味情報を記憶する。
サービス１７は、情報処理装置１００がネットワーク接続装置２４によりネットワーク接続されている場合に、得られた情報を記憶する装置である。
ＧＰＳ１８は、情報処理装置１００の現在位置に関する情報を探索する装置である。
センサ２０は、情報処理装置１００の前面のリモコン使用可能領域に人がいるか否か、距離はどのくらいかを判断する。
リモコン受信部２１は、図には示されていないリモコンとの間でチャンネル切り替えや音量調節等の制御信号や応答信号を授受する。
入力手段２２は、例えば、電源ボタン、チャンネル切り替えボタン、音量ボタン、もしくは入力切換ボタンである。
カメラ２３は、情報処理装置１００の前面で図には示されていないリモコンを操作するユーザを認識するため撮影し、電気信号に変換する機能を有する。これは、ユーザが複数存在する場合にユーザ毎に顔を認識し、興味情報を紐づけるのに利用される。
ネットワーク接続部２４は、図示しないネットワークと無線もしくは有線を用いて接続する機能を有する。
【００１５】
＜動  作＞
図２は、図１に示した情報処理装置１００に表示される画面及びリモコンとしてのスマートホン４１の一例である。スマートホン４１にはリモコンソフトウエアがインストールされているものとする。
情報処理装置１００は、リビングルーム等の床上もしくはテレビ台の上に載置して視聴することを前提としており、画面サイズは、例えば２９型以上としている。スマートホン４１のサイズは手のひらサイズであるが、情報処理装置１００と比較して拡大表示されている。
情報処理装置１００は、電源が投入されると、カメラ２３を用いてユーザを確認し、ユーザ好みの画面（例えば、録画した番組「アングリー」）を表示する。尚、カメラ２３は図では表示部１５を支持する支柱に設けられているが、本発明はこれに限定されるものではなく、表示部１５の外周部に設けてもよい。
画面１０３は、表示部１５の画面としての放送番組やウエブコンテンツを表示するためのメイン画面１０１と、アイコンの一種であるサイドメニュー１０２と、を有する。
サイドメニュー１０２のうちの第一のサイドメニュー１０２ａは、ユーザの過去のライフログをビジュアル表示、検索するためのサイドメニューである。第二のサイドメニュー１０２ｂは、ショッピングサイトと連携し、ユーザの嗜好に応じた商品をネットショッピングするためのサイドメニューである。第三のサイドメニュー１０２ｃは、ユーザの嗜好に応じて収集したコンテンツ毎にまとめたチャンネルである。
サイドメニュー１０２は、図では三つのサイドメニュー１０２ａ、１０２ｂ、１０２ｃからなるが、本発明はこれに限定されるものではなく、二つでも四つ以上であってもよい。また、サイドメニュー１０２の位置は図では、右端であるが、本発明はこれに限定されるものではなく、左端、上端、もしくは下端でもよく、通常時はグレー表示もしくは非表示としておき、ユーザ好みの出演者や商品が表示された時等に表示するようにしてもよい。
【００１６】
図３は、図１に示した情報処理装置１００のユーザがサイドメニュー１０２ａから要求したときに情報をメイン画面１０１に一覧表示するパーソナルビューアの構成図である。
パーソナルビューア２００は、情報処理装置１００が蓄積したユーザの興味ある情報を覗くツールの総称であり、覗かれる対象はマイカタログ２０１、ライフログ２０２、及びプロファイル２０３である。
マイカタログ２０１は、ユーザがしたいこと（観たい／行きたい／食べたい／欲しい等）の情報を整理して表示するツールである。
ライフログ２０２は、パーソナルＤＢ１６に蓄積したライフログ情報を、ユーザの目的に応じた表現形式でビジュアル化するツールである。
プロファイル２０３は、ライフログ２０２をマイニング・分析した嗜好／生活パターンをビジュアル化するツールである。
【００１７】
図４（ａ）、（ｂ）、（ｃ）は、図２に示した情報処理装置１００のサイドメニュー１０２ｃを選択してパーソナルチャンネルの中のコンテンツを視聴中にタグを貼る場合の説明図である。
図４（ａ）は、ユーザが情報処理装置１００としてのＴＶを視聴時に出演者が帽子を被っている画面１０１を観て、この帽子「欲しい」と思い、スマートホン４１のいいねボタン４１ａを押すと、スマートホン４１の画面４１ｂがリモコンから視聴中の画面に切り替わるようになっている。スマートホン４１の画面４１ｂの中の帽子を指でなぞると軌跡が表示されると共に、「いいねボタン」、「観たい」、「欲しい」、「行きたい」、及び「食べたい」ボタンを有する、Ｗａｎｔｓボタン４１ｃが拡大表示される。Ｗａｎｔｓボタン４１ｃのうちの「欲しい」ボタンを押すと、出演者が被っている帽子にタグが貼られてパーソナルＤＢ１６に蓄積される。
【００１８】
図４（ｂ）は情報処理装置１００のメイン画面の遷移の一例であり、図４（ｃ）はスマートホン４１のリモコン表示の一例である。
図４（ｂ）の上側はメイン画面１０１に視聴したコンテンツのサムネイルの一覧が表示され、全体を眺めることができるようになっている。このときの破線で示す楕円内のスライドバーの位置がどこにも属していないが、スライドバーを「○井  理」の位置に移動させると、「○井  理」に関するサムネイルを一覧表示し、特に視聴履歴の多いものを他のサムネイルを大きく表示する。図４（ｂ）の下側は特定のジャンルや出演者を探すための画面の一例である。図４（ｃ）の左上側はリモコン表示画面であり、全体表示時の状態を示し、図４（ｃ）の左下側は特定の出演者としての「○井  理」を探すための画面の一例である。
図４（ｃ）の右側はスマートホンのリモコン表示とメイン画面表示とを同時に表示した画面の一例である。
図４（ｃ）に示すようにスマートホン４１にメイン画面、番組情報、Ｗａｎｔｓボタン、及びタグの表示が同時に行われるので、視聴している番組の気になるシーンに瞬時にタグを貼ることができる。例えば、図に示す例では視聴中の番組が「ウィンターレスキュー」であり、放送日が２０１２年２月１２日、○ＴＶ、ＰＭ９：００〜１０：００であるとする。ユーザがＷａｎｔｓボタンのうちの観たいボタンを押すと、タグが貼られ、タグの一覧表のキーワードにチェックが入る。タグが貼られた番組のシーンはパーソナルＤＢ１６に蓄積される。蓄積されたシーンの情報はジャンル、出演者、鮮度別に分類される。一覧表は情報処理装置１００が予め分析したキーワードのうちの番組に関連する情報の一覧表である。
【００１９】
図５は、図１に示した情報処理装置１００の動作を説明するためのフローチャートの一例である。
情報処理装置１００の画像処理手段１９ｄは、コンテンツの視聴中にユーザによってタグが貼られたコンテンツは、収集手段１９ｃにより収集されて、パーソナルＤＢ１６に蓄積される（ステップＳ１）。
情報処理装置１００の検索手段１９ｅは、タグが貼られたコンテンツに関する情報、すなわち、ユーザが「観たい」、「欲しい」、「行きたい」、「食べたい」ものに関する情報をネットワーク接続部２４によりネットワーク検索したり、パーソナルＤＢ１６を検索したりする。（ステップＳ２）。
情報処理装置１００は、タグが貼られたコンテンツに関する情報をパーソナルＤＢ１６に蓄積する（ステップＳ３）。
情報処理装置１００の分析手段１９ｆは、蓄積した情報をユーザごとに項目（観たい、欲しい、行きたい、食べたい、ジャンル、出演者、鮮度等）別に分類する。ここで、鮮度とは録画または放送日の新しさの度合いであり録画してから一定期間経過すると、季節にそぐわない場合は鮮度が落ちたとして消去の対象となりえる（ステップＳ４）。
情報処理装置１００は、サイドメニューを介してパーソナルビューアの要求があったか否かを判断する（ステップＳ５）。サイドメニューを介してパーソナルビューアの要求が無い場合は待機し（ステップＳ５／Ｎ）、サイドメニューを介してパーソナルビューアの要求がある場合（ステップＳ５／Ｙ）、ステップＳ６へ進む。
情報処理装置１００は、表示部１５にユーザに関連する情報を一覧表示して終了する（ステップＳ６）。
【００２０】
図６は、図１に示した情報処理装置１００の動作を説明するためのフローチャートの他の一例である。
図６に示したフローチャートのステップＳ１１〜Ｓ１６は図５に示したフローチャートのＳ１〜Ｓ６と同じであるので、説明を省略する。
情報処理装置１００の表示部１５のメイン画面に表示された情報の一覧表から何か選択されたか否かを判断し（ステップＳ１７）、一定時間何も選択されない場合には終了し（ステップＳ１７／Ｎ）、情報の一覧表から何か選択されたら、選択された情報及び履歴を表示し終了する（ステップＳ１８）。
【００２１】
＜パーソナルビューアの概念＞
図７は、図１に示した情報処理装置１００におけるパーソナルビューアの概念図である。
情報処理装置１００は、テレビ放送の番組やウエブコンテンツ等の視聴時のユーザの行動を学習し、ユーザに有用な形で記憶された情報をユーザが必要な時に検索したり、ショッピングしたり、創造に活用したり、ユーザだけが自由に使うことができるようになっている。
例えば、ユーザが情報処理装置１００（図の左上）のメイン画面１０１の視聴中にサイドメニュー１０２の内のパーソナルビューア１０２ａをスマートホンもしくはリモコンで選択すると、メイン画面１０１の画像がパーソナルビューア１０２ａの領域に移動し、メイン画面１０１にはユーザの視聴履歴に基づいたサムネイルが興味度に応じた大きさで表示される。
ユーザがサムネイル中に「何か見覚えのあるものが並んでいるぞ、これ何だっけ？」とサムネイル１０１ｔｎを発見し、サムネイル１０１ｔｎを選択すると、放送番組で流れた音楽情報が図中の右上のように表示される。
音楽情報としては、ＣＤの場合、［Ｄｉｓｃ１］、『輝く太陽のように／Ｔｈｅ  Ｂｉｒｄ  Ｗｉｔｈ  Ｗｉｎｇｓ』／ＣＤ、アーティスト、…、［４：１２］のように商品名、アーティスト名、曲目、演奏時間等が表示され、視聴することができるようになっている。
【００２２】
＜マイカタログ＞
図８（ａ）〜（ｆ）は、マイカタログの一例をパーソナルビューアで覗いた場合の説明図である。
マイカタログは、時間、ユーザの嗜好、鮮度、ソース、タグ、メディアｔｙｐｅ別に表示する機能を有する。また、マイカタログは、ユーザの検索レベルに合わせて各スライドバーを調整できる。ここで、ソースとは、テレビ（ＴＶ）放送、ＳＮＳ、ウエブコンテンツ等が挙げられ、メディアｔｙｐｅとは動画、静止画、音楽、画像、テキスト等が挙げられる。
例えば、図８（ｄ）に示すスマートホン４１をリモコンとして機能させた場合、タグのスライドバー４１ｓがいずれの項目の位置にも設定されていないとき、図８（ａ）のように情報処理装置のメイン画面１０１にはユーザが視聴もしくは録画したコンテンツ等のサムネイル群が表示される。サムネイルの大きさはユーザの興味の度合いに応じて大きく表示される。又、サムネイルの位置は上側、奥側が古く、下側、手前側が新しくなるようにほぼ時系列に配置されている。
次に、図８（ｅ）に示すスマートホン４１の『○井  理』タグを、スライドバー４１ｓをスライドさせて選択すると、検索手段により検索され、該当するタグの付いたアイテム情報が検索結果として図８（ｂ）のように表示される。
図８（ｂ）のサムネイル群の中から特定アイテム（サムネイル）を選択すると、自動付加されたタグ情報が表示される（図８（ｃ））。タグ情報を整理することにより必要なタイミングで自動録画・リマインダ・リコメンドが行われる。
ここで、図８（ｆ）において、「タグ嗜好」がタグに対応し、「コンテンツ嗜好」がＷａｎｔｓに対応する。すなわち、図８（ｆ）に示すスマートホンもしくは同様の機能を有するリモコンは、あるコンテンツ「テレビドラマ“ウィンターレスキュー”」について、番組中に表示された景色を「見たい」、持ち物が「欲しい」、ロケ地に「行きたい」、出演者が食べている物を「食べたい」等の希望を一画面で編集するインターフェースを表している。
【００２３】
＜ライフログ＞
図９は、ライフログの一例をパーソナルビューアで覗いた場合の説明図である。
ライフログは、パーソナルＤＢに蓄積されたライフログを、視聴履歴、食事履歴、移動字歴等、目的に応じたスタイルでビジュアル化するツールである。視聴履歴の情報は、情報処理装置自体で取得することができるが、食事履歴は、スマートホンのカメラ機能を利用し、移動履歴は、スマートホンのＧＰＳを利用することにより可能となる。
視聴履歴は、例えば、いつも水曜日は仕事中眠くなってしまう。これは、火曜日だけ深夜遅くまでテレビ番組を視聴しているためではないかということを推測することができる。食事履歴は、例えば、一週間に一度はカレーライスを食べている。土曜日は○○屋の牛丼が定番となっていることが分かる。移動履歴は、例えば、先週の金曜日、２０時に「どこで」、「何を」していたかが分かる。すなわち、行動履歴と共に、ポイント情報表示（山形市内走行中…）を行うことで把握できる。
【００２４】
＜プロファイル＞
図１０は、プロファイルの一例をパーソナルビューアで覗いた場合の説明図である。
ライフログは、ユーザの生活をマイニング・分析した嗜好／生活パターンである。ライフログは、ユーザが見て楽しめる、自分発見のためのアプリケーションである。ライフログは、ユーザが知らない自分に出会える予感を与える手助けをすることができる。
例えば、ユーザの１週間のテレビ視聴時間の内訳（一例として、ドラマ６４％、バラエティ２４％、ニュース３％、…）が分かる。ユーザは、ドラマの見過ぎを把握することができ、時間を有効にするよう修正することができる。
ユーザは、いつも肉メインの食事をしているから、脂質が標準値をオーバーしており、このままの食生活を継続すると、１０年後には図１０に示すような肥満状態になることが分かり、健康管理に貢献することができる。
行動遷移図でユーザは、自己の行動パターンが明らかになる。例えば、自宅から離れたコンビニエンスストアに通いつめていることが分かる。これは他店より品数が多く、店員さんが親切で愛想が良いため、買い物する場合の参考となる。
【００２５】
以上より、タグが貼られたコンテンツを蓄積し、ユーザ毎に項目別に分類し、一覧表示するので、ユーザが過去に興味を持った情報を簡単に確認できる。
【００２６】
＜プログラム＞
以上で説明した本発明に係る情報処理装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行う。
【００２７】
例えば、
表示手段、ユーザ識別手段、タグ嗜好記憶手段、コンテンツ嗜好記憶手段、コンテンツ情報表示手段、タグ嗜好更新手段、及びコンテンツ嗜好更新手段を備えた情報処理装置のコンピュータが読み取り可能なプログラムであって、
コンピュータに、
表示手段が、コンテンツを表示する手順、
表示手段が、表示手段に対面するユーザを識別する手順、
タグ嗜好記憶手段が、コンテンツの内容に対応するタグと、タグに対するユーザの嗜好であるタグ嗜好と、を関連づけて記憶手段に記憶させる手順、
コンテンツ嗜好記憶手段が、コンテンツと、コンテンツに対するユーザの嗜好であるコンテンツ嗜好と、を関連づけて記憶手段に記憶させる手順、
コンテンツ情報表示手段が、指定されたコンテンツの内容に対応するタグをタグ嗜好とともに表示し、かつ、コンテンツに対するコンテンツ嗜好を表示手段に表示する手順、
タグ嗜好更新手段が、表示されたタグ嗜好への変更要求を受け付けて、記憶手段にコンテンツに対応するタグに関連づけられて記憶されているタグ嗜好を更新する手順、
コンテンツ嗜好更新手段が、示されたコンテンツに対するコンテンツ嗜好への変更要求を受け付けて、記憶手段にコンテンツに関連づけられて記憶されているコンテンツ嗜好を更新する手順、
を実行させるためのプログラムが挙げられる。
【００２８】
これにより、プログラムが実行可能なコンピュータ環境さえあれば、どこにおいても本発明にかかる情報処理装置を実現することができる。
このようなプログラムは、コンピュータに読み取り可能な記憶媒体に記憶されていてもよい。
【００２９】
＜記憶媒体＞
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【００３０】
ＣＤ−ＲＯＭは、Compact Disc Read Only Memoryの略である。フレキシブルディスクは、Flexible Disk：ＦＤを意味する。ＣＤ−Ｒは、CD Recordableの略である。ＲＡＭは、Random-Access Memoryの略である。ＲＯＭは、Read-Only Memoryの略である。ＦｅＲＡＭは、Ferroelectric RAMの略で、強誘電体メモリを意味する。ＨＤＤは、Hard Disc Driveの略である。
【００３１】
尚、上述した実施の形態は、本発明の好適な実施の形態の一例を示すものであり、本発明はそれに限定されることなく、その要旨を逸脱しない範囲内において、種々変形実施が可能である。
例えば、タグの貼り付けについては手動タグでも自動タグでもよい。手動タグは、いいね・ブックマーク等の特定の操作時に、自動タグの他にメモ書きのようなユーザの入力情報（音声タグも可能）が挙げられる。自動タグは、センサ情報の貼り付け時間や場所が挙げられる。利用するアプリケーションの種類と操作結果から判断された目的等が挙げられる。食べログの選択、ＥＣサイトでの商品選択としては買いたいが挙げられる。特定の情報を選択した状態で、タグ情報を確認するようにしてもよい。
【符号の説明】
【００３２】
１１    受信部（チューナ）
１２    ストリーム分離部（ＤＥＭＵＸ）
１３    映像デコード部
１４    表示処理部（スケーラ）
１５    表示部（モニタ）
１６    パーソナルＤＢ
１７    サービス
１８    ＧＰＳ（汎地球測位システム）
１９    受信制御部
１９ａ    抽出手段
１９ｂ    絞り込み手段
１９ｃ    収集手段
１９ｄ    画像処理手段
１９ｅ    検索手段
１９ｆ    分析手段
１９ｇ    ユーザ識別手段
１９ｈ    タグ嗜好記憶手段
１９ｉ    コンテンツ嗜好記憶手段
１９ｊ    コンテンツ情報表示手段
１９ｋ    タグ嗜好更新手段１９
１９ｌ  コンテンツ嗜好更新手段
２０    センサ
２１    リモコン受信部
２２    入力手段
２３    カメラ
２４    ネットワーク接続部
４０    リモコン
４１    スマートホン
１００    情報処理装置（テレビジョン受像器）
１０１    メイン画面
１０２    サイドメニュー
１０３    画面
【図１】
0005945982.tif 000002
【図２】
0005945982.tif 000003
【図３】
0005945982.tif 000004
【図４】
0005945982.tif 000005
【図５】
0005945982.tif 000006
【図６】
0005945982.tif 000007
【図７】
0005945982.tif 000008
【図８】
0005945982.tif 000009
【図９】
0005945982.tif 000010
【図１０】
0005945982.tif 000011